(57)【要約】【課題】光スイッチ及び波長選択スイッチの数を削減可能な光クロスコネクトシステム（ＮＮＩ）を用いてＵＮＩを収容し、低コスト化が可能な光クロスコネクトシステムを提供する。【解決手段】本発明は、光スイッチを内蔵しない、並列に配置された複数の波長選択スイッチ（ＷＳＳ）と、ＷＳＳの前段に配置される複数の光サーキュレータを有するＮＮＩと、ＷＳＳとＷＳＳの前段に配置される光サーキュレータを有するＵＮＩと、各ＷＳＳの後段に設けられる光サーキュレータと、ＷＳＳの後段に配置された光サーキュレータに接続される光スイッチと、を有し、ＷＳＳの後段の光サーキュレータと光スイッチをＮＮＩとＵＮＩで共用する。【選択図】図１
2008259131.tif 000002
【特許請求の範囲】
【請求項１】
波長多重伝送に使用される波長多重信号光から特定の波長の信号を選択して取り出す波長選択スイッチを用いた光ネットワーク側インタフェース(ＮＮＩ：Network Network Interface)とユーザネットワークインタフェース（ＵＮＩ：User Network Interface）から構成される光クロスコネクトシステムであって、
それぞれに入力された波長多重信号光から特定の波長光を選択する、並列に配置された複数の第１の波長選択スイッチと、
前記各波長選択スイッチのそれぞれの前段に配置され、第１のポートを介して入力された光を非相反部を通過させて第２のポートから該第１の波長選択スイッチに出力し、該第２のポートを介して該第１の波長選択スイッチから入力された光を該非相反部を通過させて第３のポートに出力する第１の光サーキュレータと、
を有するＮＮＩと、
入力された波長多重信号光から特定の波長光を選択する第２波長選択スイッチと、
前記各第２波長選択スイッチのそれぞれの前段に配置され、第１のポートを介して入力された光を非相反部を通過させて第２のポートから該第２の波長選択スイッチに出力し、該第２のポートを介して該第２の波長選択スイッチから入力された光を該非相反部を通過させて第３のポートに出力する第２の光サーキュレータと、
を有するＵＮＩと、
前記ＮＮＩと前記ＵＮＩの前記第１の波長選択スイッチまたは、前記第２の波長選択スイッチに接続され、該波長選択スイッチから第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータと、
前記第３の光サーキュレータの後段に配置され、該第３の光サーキュレータから入力された波長光を切り替える複数の光スイッチと、
前記波長選択スイッチに対して波長を選択するための波長編集信号を出力し、前記光スイッチに対し、波長光の方路を切り替えるための方路切替信号を出力する制御手段と、
を有し、
前記第１、第２の光サーキュレータは、前記第１のポートに、波長多重光が入力されると、前記第２のポートから前記第１、第２の波長選択スイッチに該波長多重光を出力し、
前記第１、第２の波長選択スイッチは、前記波長編集信号に基づいて波長を選択し、選択された波長光を、前記第３の光サーキュレータに出力し、
前記第３の光サーキュレータは、入力された前記波長光を前記光スイッチに出力し、
前記光スイッチは、前記方路切替信号に基づいて、入力された波長光の方路を切り替えて前記第３の光サーキュレータまたは他の光スイッチに出力し、
前記第３の光サーキュレータは、前記光スイッチから入力された波長光を前記第１、第２の波長選択スイッチに出力し、
前記第１、第２の波長選択スイッチは、前記波長光を前記波長編集信号に基づいて選択し、当該波長選択スイッチの前段の第１、第２の光サーキュレータにそれぞれ出力し、
前記第１、第２の光サーキュレータは、前記第１、第２の波長選択スイッチから前記第２のポートを介してそれぞれ入力された波長光を前記第３のポートより出力する
ことを特徴とする光クロスコネクトシステム。
【請求項２】
波長多重伝送に使用される波長多重信号光から特定の波長の信号を選択して取り出す波長選択スイッチを用いた光ネットワーク側インタフェース(ＮＮＩ：Network Network Interface)と、現用系、及び、該現用系において通信ができなくなった場合に切り替えられる予備系からなる冗長系のユーザネットワークインタフェース（ＵＮＩ：User Network Interface）から構成される光クロスコネクトシステムであって、
それぞれに入力された波長多重信号光から特定の波長光を選択する、並列に配置された複数の第１の波長選択スイッチと、
前記各波長選択スイッチのそれぞれの前段に配置され、第１のポートを介して入力された光を非相反部を通過させて第２のポートから該第１の波長選択スイッチに出力し、該第２のポートを介して該第１の波長選択スイッチから入力された光を該非相反部を通過させて第３のポートに出力する第１の光サーキュレータと、
を有するＮＮＩと、
入力された波長多重信号光から特定の波長光を選択する第２波長選択スイッチと、
前記各第２波長選択スイッチのそれぞれの前段に配置され、第１のポートを介して入力された光を非相反部を通過させて第２のポートから該第２の波長選択スイッチに出力し、該第２のポートを介して該第２の波長選択スイッチから入力された光を該非相反部を通過させて第３のポートに出力する第２の光サーキュレータと、
を前記現用系及び前記予備系にそれぞれ有するＵＮＩと、
前記ＮＮＩの前記第１の波長選択スイッチと前記ＵＮＩの現用系及び予備系の前記第２の波長選択スイッチに接続され、該波長選択スイッチから第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータと、
前記第３の光サーキュレータの後段に配置され、該第３の光サーキュレータから入力された波長光を切り替える複数の光スイッチと、
前記波長選択スイッチに対して、波長を選択するための波長編集信号を出力し、前記光スイッチに対して、波長光の方路を切り替えるための方路切替信号を出力する制御手段と、
を有し、
前記ＮＮＩの前記第１の光サーキュレータ及び前記ＵＮＩの現用系または予備系の第２の光サーキュレータは、前記第１のポートに、波長多重光が入力されると、前記第２のポートから前記ＮＮＩの前記第１の波長選択スイッチ、前記ＵＮＩの現用系または予備系の第２の波長選択スイッチに該波長多重光を出力し、
前記ＮＮＩの前記第１の波長選択スイッチ及び、前記ＵＮＩの現用系または予備系の前記第２の波長選択スイッチは、前記波長編集信号に基づいて波長を選択し、選択された波長光を、前記第３の光サーキュレータに出力し、
前記第３の光サーキュレータは、入力された前記波長光を前記光スイッチに出力し、
前記光スイッチは、前記方路切替信号に基づいて、入力された波長光の方路を切り替えて前記第３の光サーキュレータまたは他の光スイッチに出力し、
前記第３の光サーキュレータは、前記光スイッチから入力された波長光を前記ＮＮＩの前記第１の波長選択スイッチ及び、前記ＵＮＩの現用系または予備系の第２の波長選択スイッチに出力し、
前記ＮＮＩの第１の波長選択スイッチ及び前記ＵＮＩの現用系または予備系の前記第２の波長選択スイッチは、前記波長光を前記波長編集信号に基づいて選択し、当該波長選択スイッチの前段の第１、第２の光サーキュレータにそれぞれ出力し、
前記第１、第２の光サーキュレータは、前記第１、第２の波長選択スイッチから前記第２のポートを介してそれぞれ入力された波長光を前記第３のポートより出力する
ことを特徴とする光クロスコネクトシステム。
【請求項３】
波長多重伝送に使用される波長多重信号光から特定の波長の信号を選択して取り出す波長選択スイッチを用いた光ネットワーク側インタフェース(ＮＮＩ：Network Network Interface)とユーザネットワークインタフェース（ＵＮＩ：User Network Interface）から構成される光クロスコネクトシステムであって、
それぞれに入力された波長多重信号光から特定の波長光を選択する、並列に配置された複数の第１の波長選択スイッチと、
前記第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、
を有するＮＮＩと、
前記ＮＮＩの１つの第１の波長選択スイッチと接続され、入力された波長多重信号光から特定の波長光を選択する第２の波長選択スイッチと、
前記第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、
を有するＵＮＩと、
前記ＮＮＩの前記第１の波長選択スイッチと接続され、第１のポートを介して前記第１の波長選択スイッチから入力された波長光を非相反部を通過させて第２のポートを介して出力し、該第２のポートから入力された波長光を該非相反部を通過させて第３のポートに出力する第３の光サーキュレータと、
前記第３の光サーキュレータに接続され、入力された波長光を切り替えて、該第３の光サーキュレータまたは他の光スイッチに出力する光スイッチと、
前記波長選択スイッチに対して、波長を選択するための波長編集信号を出力し、前記光スイッチに対して、波長光の方路を切り替えるための方路切替信号を出力する制御手段と、
を有し、
前記第１の光サーキュレータ及び前記第２の光サーキュレータは、前記第１のポートに波長多重光が入力されると、前記第２のポートから前記第１の波長選択スイッチ及び前記第２の波長選択スイッチに該波長多重光を出力し、
前記ＵＮＩの第２の波長選択スイッチは、前記波長編集信号に基づいて波長を選択し、選択された波長を、前記ＮＮＩの１つの前記第１波長選択スイッチに出力し、
前記ＮＮＩの前記第１の波長選択スイッチは、当該第１の波長選択スイッチの前段の光サーキュレータ及び前記ＵＮＩの第２の波長選択スイッチから入力された波長光を前記波長編集信号に基づいて選択し、選択された波長光を前記第３及び第１の光サーキュレータに出力し、
前記第３の光サーキュレータを介して前記波長光が入力された前記光スイッチは、前記方路切替信号に基づいて波長光を切り替えて出力し、
前記第３の光サーキュレータは、前記光スイッチから波長光が入力されると、前記ＮＮＩの第１の波長選択スイッチに該波長光を出力し、
前記ＮＮＩの前記第１の波長選択スイッチは、前記波長光を選択して前記第１の波長選択スイッチまたは前記ＵＮＩの前記第２の波長選択スイッチに出力し、
前記第２の波長選択スイッチは、前記波長光を前記第２の光サーキュレータに出力し、
前記第２の光サーキュレータは、前記第２の波長選択スイッチから出力された波長が前記第２のポートより入力されると、該波長光を前記第３のポートより出力する
ことを特徴とする光クロスコネクトシステム。
【請求項４】
波長多重伝送に使用される波長多重信号光から特定の波長の信号を選択して取り出す波長選択スイッチを用いた光ネットワーク側インタフェース(ＮＮＩ：Network Network Interface)と、現用系、及び、該現用系において通信ができなくなった場合に切り替えられる予備系からなる冗長系のユーザネットワークインタフェース（ＵＮＩ：User Network Interface）から構成される光クロスコネクトシステムであって、
それぞれに入力された波長多重信号光から特定の波長光を選択する、並列に配置された複数の第１の波長選択スイッチと、
前記第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、
を有するＮＮＩと、
前記ＮＮＩの第１の波長選択スイッチと接続され、入力された波長多重信号光から特定の波長光を選択する第２の波長選択スイッチと、
前記第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、
を、前記現用系及び前記予備系にそれぞれ有するＵＮＩと、
前記ＮＮＩの前記第１の波長選択スイッチと接続され、第１のポートを介して前記第１の波長選択スイッチから入力された波長光を非相反部を通過させて第２のポートを介して出力し、該第２のポートから入力された波長光を該非相反部を通過させて第３のポートに出力する第３の光サーキュレータと、
前記第３の光サーキュレータに接続され、入力された波長光を切り替えて、該第３の光サーキュレータまたは他の光スイッチに出力する光スイッチと、
前記波長選択スイッチに対して、波長を選択するための波長編集信号を出力し、前記光スイッチに対して、波長光の方路を切り替えるための方路切替信号を出力する制御手段と、
を有し、
前記第１の光サーキュレータ及び前記ＵＮＩの現用系または予備系の前記第２の光サーキュレータは、前記第１のポートに波長多重光が入力されると、前記第２のポートから前記第１の波長選択スイッチ及び前記ＵＮＩの現用系または予備系の前記第２の波長選択スイッチに該波長多重光を出力し、
前記ＵＮＩの現用系または予備系の第２の波長選択スイッチは、前記波長編集信号に基づいて波長を選択し、選択された波長を、前記ＮＮＩの１つの前記第１波長選択スイッチに出力し、
前記ＮＮＩの前記第１の波長選択スイッチは、当該第１の波長選択スイッチの前段の光サーキュレータ及び前記ＵＮＩの現用系または予備系の第２の波長選択スイッチから入力された波長光を前記波長編集信号に基づいて選択し、選択された波長光を前記第３及び第１の光サーキュレータに出力し、
前記第３の光サーキュレータを介して前記波長光が入力された前記光スイッチは、前記方路切替信号に基づいて波長光を切り替えて出力し、
前記第３の光サーキュレータは、前記光スイッチから波長光が入力されると、前記ＮＮＩの第１の波長選択スイッチに該波長光を出力し、
前記ＮＮＩの前記第１の波長選択スイッチは、前記波長光を選択して前記第１の波長選択スイッチまたは前記ＵＮＩの現用系または予備系の前記第２の波長選択スイッチに出力し、
前記ＵＮＩの現用系または予備系の前記第２の波長選択スイッチは、前記波長光を前記第２の光サーキュレータに出力し、
前記ＵＮＩの現用系または予備系の前記第２の光サーキュレータは、前記第２の波長選択スイッチから出力された波長が前記第２のポートより入力されると、該波長光を前記第３のポートより出力する
ことを特徴とする光クロスコネクトシステム。
【請求項５】
波長多重伝送に使用される波長多重信号光から特定の波長の信号を選択して取り出す波長選択スイッチを用いた光ネットワーク側インタフェース(ＮＮＩ：Network Network Interface)とユーザネットワークインタフェース（ＵＮＩ：User Network Interface）から構成される光クロスコネクトシステムにおける信号制御方法であって、
それぞれに入力された波長多重信号光から特定の波長光を選択する、並列に配置された複数の第１の波長選択スイッチと、
前記各波長選択スイッチのそれぞれの前段に配置され、第１のポートを介して入力された光を非相反部を通過させて第２のポートから該第１の波長選択スイッチに出力し、該第２のポートを介して該第１の波長選択スイッチから入力された光を該非相反部を通過させて第３のポートに出力する第１の光サーキュレータと、
を有するＮＮＩと、
入力された波長多重信号光から特定の波長光を選択する第２波長選択スイッチと、
前記各第２波長選択スイッチのそれぞれの前段に配置され、第１のポートを介して入力された光を非相反部を通過させて第２のポートから該第２の波長選択スイッチに出力し、該第２のポートを介して該第２の波長選択スイッチから入力された光を該非相反部を通過させて第３のポートに出力する第２の光サーキュレータと、
を有するＵＮＩと、
前記ＮＮＩと前記ＵＮＩの前記第１の波長選択スイッチまたは、前記第２の波長選択スイッチに接続され、該波長選択スイッチから第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータと、
前記第３の光サーキュレータの後段に配置され、該第３の光サーキュレータから入力された波長光を切り替える複数の光スイッチと、
前記波長選択スイッチに対して波長を選択するための波長編集信号を出力し、前記光スイッチに対し、波長光の方路を切り替えるための方路切替信号を出力する制御手段と、
を有する光クロスコネクトシステムにおいて、
前記第１、第２の光サーキュレータは、前記第１のポートに、波長多重光が入力されると、前記第２のポートから前記第１、第２の波長選択スイッチに該波長多重光を出力し、
前記第１、第２の波長選択スイッチは、前記波長編集信号に基づいて波長を選択し、選択された波長光を、前記第３の光サーキュレータに出力し、
前記第３の光サーキュレータは、入力された前記波長光を前記光スイッチに出力し、
前記光スイッチは、前記方路切替信号に基づいて、入力された波長光の方路を切り替えて前記第３の光サーキュレータまたは他の光スイッチに出力し、
前記第３の光サーキュレータは、前記光スイッチから入力された波長光を前記第１、第２の波長選択スイッチに出力し、
前記第１、第２の波長選択スイッチは、前記波長光を前記波長編集信号に基づいて選択し、当該波長選択スイッチの前段の第１、第２の光サーキュレータにそれぞれ出力し、
前記第１、第２の光サーキュレータは、前記第１、第２の波長選択スイッチから前記第２のポートを介してそれぞれ入力された波長光を前記第３のポートより出力する
ことを特徴とする光クロスコネクトシステムにおける信号制御方法。
【請求項６】
波長多重伝送に使用される波長多重信号光から特定の波長の信号を選択して取り出す波長選択スイッチを用いた光ネットワーク側インタフェース(ＮＮＩ：Network Network Interface)とユーザネットワークインタフェース（ＵＮＩ：User Network Interface）から構成される光クロスコネクトシステムにおける信号制御方法であって、
それぞれに入力された波長多重信号光から特定の波長光を選択する、並列に配置された複数の第１の波長選択スイッチと、
前記第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、
を有するＮＮＩと、
前記ＮＮＩの１つの第１の波長選択スイッチと接続され、入力された波長多重信号光から特定の波長光を選択する第２の波長選択スイッチと、
前記第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、
を有するＵＮＩと、
前記ＮＮＩの前記第１の波長選択スイッチと接続され、第１のポートを介して前記第１の波長選択スイッチから入力された波長光を非相反部を通過させて第２のポートを介して出力し、該第２のポートから入力された波長光を該非相反部を通過させて第３のポートに出力する第３の光サーキュレータと、
前記第３の光サーキュレータに接続され、入力された波長光を切り替えて、該第３の光サーキュレータまたは他の光スイッチに出力する光スイッチと、
前記波長選択スイッチに対して、波長を選択するための波長編集信号を出力し、前記光スイッチに対して、波長光の方路を切り替えるための方路切替信号を出力する制御手段と、
を有する光クロスコネクトシステムにおいて、
前記第１の光サーキュレータ及び前記第２の光サーキュレータは、前記第１のポートに波長多重光が入力されると、前記第２のポートから前記第１の波長選択スイッチ及び前記第２の波長選択スイッチに該波長多重光を出力し、
前記ＵＮＩの第２の波長選択スイッチは、前記波長編集信号に基づいて波長を選択し、選択された波長を、前記ＮＮＩの１つの前記第１波長選択スイッチに出力し、
前記ＮＮＩの前記第１の波長選択スイッチは、当該第１の波長選択スイッチの前段の光サーキュレータ及び前記ＵＮＩの第２の波長選択スイッチから入力された波長光を前記波長編集信号に基づいて選択し、選択された波長光を前記第３及び第１の光サーキュレータに出力し、
前記第３の光サーキュレータを介して前記波長光が入力された前記光スイッチは、前記方路切替信号に基づいて波長光を切り替えて出力し、
前記第３の光サーキュレータは、前記光スイッチから波長光が入力されると、前記ＮＮＩの第１の波長選択スイッチに該波長光を出力し、
前記ＮＮＩの前記第１の波長選択スイッチは、前記波長光を選択して前記第１の波長選択スイッチまたは前記ＵＮＩの前記第２の波長選択スイッチに出力し、
前記第２の波長選択スイッチは、前記波長光を前記第２の光サーキュレータに出力し、
前記第２の光サーキュレータは、前記第２の波長選択スイッチから出力された波長が前記第２のポートより入力されると、該波長光を前記第３のポートより出力する
ことを特徴とする光クロスコネクトシステムにおける信号制御方法。
【発明の詳細な説明】
【技術分野】
【０００１】
本発明は、波長多重伝送システムにおける光クロスコネクトシステム及び光クロスコネクトシステムにおける信号制御方法に係り、特に、各波長をあるまとまりに編集し、生成した波長群毎に、方路設定等の信号処理を行うための波長多重信号光から特定の波長の信号を選択して取り出す波長選択スイッチを用いた光ネットワーク側インタフェース（ＮＮＩ）とユーザ端末等のユーザネットワークインタフェース（ＵＮＩ）を収容する光クロスコネクトシステム及び光クロスコネクトシステムにおける信号制御方法に関する。
【背景技術】
【０００２】
光通信システムでは、１本の光ファイバに異なる波長光を複数伝搬させることができる波長多重通信技術（WDM：Wavelength Division Multiplexing）を用いることによって伝送容量を増大させている。このＷＤＭにおいて、波長多重信号光から特定の波長信号を取り出す波長選択スイッチを利用した光クロスコネクトシステムが利用されている。
【０００３】
従来の光クロスコネクトシステムについて説明する。
【０００４】
図９は、従来の光クロスコネクトシステムの構成を示す。
【０００５】
同図に示す光クロスコネクトシステムは、波長を管理し、波長編集信号及び方路切替信号を出力する制御部２と、入力側、出力側とも４個ずつの波長選択スイッチ１を有する。入力側の波長選択スイッチ１に波長が入力されると、制御部２からの波長編集信号及び方路切替信号に基づいて選択された波長が出力側の波長選択スイッチ１のいずれかに出力される（例えば、非特許文献１参照）。
【０００６】
図９の構成における波長選択スイッチの構成を図１０に示す。
【０００７】
図１０に示す波長選択スイッチ１は、１入力Ｎ出力（１×Ｎ）であり、１つの分波器１０、分波器１０に接続された複数の光スイッチ２０、光スイッチ２０に接続された複数の合波器３０から構成される。
【０００８】
同図に示す分波器１０は、１つの入力ポートから入力されたλ１，λ２，…，λｎのｎチャネルからなる波長多重信号光を波長編集信号に基づいてｎ個に分波し、ｎ個の光スイッチ２０に出力し、合波器３０において個々の光スイッチ２０から出力された波長光を合波して出力する。つまり、波長多重信号光のチャネル数と同数の光スイッチが必要となる。同図の例では、λ１，λ２，…，λ１１の波長多重信号光を１１に分波し、１１個の光スイッチ２０に出力している。
【０００９】
それぞれの光スイッチ２０は、１つの入力ポートとＭ（Ｍは合波器の数）個の出力ポートを持ち、入力された何れかのＷＤＭ入力光を方路切替信号に基づいて切り替えて何れかの合波器３０に出力する。
【００１０】
合波器３０は、光スイッチ２０から入力された波長を合波して出力する。図１０の例では、４つの合波器が設けられており、合波された波長λ１〜λ３、波長λ４〜λ６、波長λ７〜λ８、波長λ９〜λ１１が出力される。
【非特許文献１】Lei Zong, Philip Ji, Ting Wang, Osamu Matsuda, Milorad Cvijetic, "Study on Wave length Cross-Connect Realized with Wavelength Selective Switches", Optical Fiber Communications 2006.
【発明の開示】
【発明が解決しようとする課題】
【００１１】
しかしながら、従来の波長多重信号光のチャネル数と同数の光スイッチを内蔵する波長選択スイッチを用いた光クロスコネクトシステムは、波長選択スイッチの数が増加するに伴い、光スイッチの数と比例して増加するため、波長選択スイッチの挿入損失は非常に大きなものとなる。
【００１２】
本発明は、上記の点に鑑みなされたもので、光スイッチのみならず、波長選択スイッチの数をも削減可能な光クロスコネクトシステムを実現し、ＵＮＩインタフェースを収容した、低コスト化が可能な光クロスコネクトシステム及び光クロスコネクトシステムにおける信号制御方法を提供することを目的とする。
【課題を解決するための手段】
【００１３】
図１は、本発明の原理構成図である。
【００１４】
本発明（請求項１）は、波長多重伝送に使用される波長多重信号光から特定の波長の信号を選択して取り出す波長選択スイッチを用いた光ネットワーク側インタフェース（ＮＮＩ)１００とユーザネットワークインタフェース（ＵＮＩ）３００から構成される光クロスコネクトシステムであって、
それぞれに入力された波長多重信号光から特定の波長光を選択する、並列に配置された複数の第１の波長選択スイッチ１１０と、
各波長選択スイッチ１１０のそれぞれの前段に配置され、第１のポートを介して入力された光を非相反部を通過させて第２のポートから該第１の波長選択スイッチ１１０に出力し、該第２のポートを介して該第１の波長選択スイッチ１１０から入力された光を該非相反部を通過させて第３のポートに出力する第１の光サーキュレータ１２１と、
を有するＮＮＩ１００と、
入力された波長多重信号光から特定の波長光を選択する第２波長選択スイッチ３１０と、
各第２波長選択スイッチ３１０のそれぞれの前段に配置され、第１のポートを介して入力された光を非相反部を通過させて第２のポートから該第２の波長選択スイッチ３１０に出力し、該第２のポートを介して該第２の波長選択スイッチ３１０から入力された光を該非相反部を通過させて第３のポートに出力する第２の光サーキュレータ３２１と、
を有するＵＮＩ３００と、
ＮＮＩ１００とＵＮＩ３００の第１の波長選択スイッチ１１０または、第２の波長選択スイッチ３１０に接続され、該波長選択スイッチ１１０，３１０から第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータ１２２と、
第３の光サーキュレータ１２２の後段に配置され、該第３の光サーキュレータ１２２から入力された波長光を切り替える複数の光スイッチ１３０と、
波長選択スイッチ１１０，３１０に対して、波長を選択するための波長編集信号を出力し、光スイッチ１３０に対して、波長光の方路を切り替えるための方路切替信号を出力する制御手段と、
を有し、
第１、第２の光サーキュレータ１２１，３２１は、第１のポートに、波長多重光が入力されると、第２のポートから第１、第２の波長選択スイッチ１１０，３１０に該波長多重光を出力し、
第１、第２の波長選択スイッチ１１０，３１０は、波長編集信号に基づいて波長を選択し、選択された波長光を、第３の光サーキュレータ１２２に出力し、
第３の光サーキュレータ１２２は、入力された波長光を光スイッチ１３０に出力し、
光スイッチ１３０は、方路切替信号に基づいて、入力された波長光の方路を切り替えて第３の光サーキュレータ１２２または他の光スイッチに出力し、
第３の光サーキュレータ１２２は、光スイッチ１３０から入力された波長光を第１、第２の波長選択スイッチ１１０，３１０に出力し、
第１、第２の波長選択スイッチ１１０，３１０は、波長光を波長編集信号に基づいて選択し、当該波長選択スイッチ１１０，３１０の前段の第１、第２の光サーキュレータ１２１，３２１にそれぞれ出力し、
第１、第２の光サーキュレータ１２１，３２１は、第１、第２の波長選択スイッチ１１０、３１０から第２のポートを介してそれぞれ入力された波長光を第３のポートより出力する。
【００１５】
本発明（請求項２）は、波長多重伝送に使用される波長多重信号光から特定の波長の信号を選択して取り出す波長選択スイッチを用いた光ネットワーク側インタフェース（ＮＮＩ）と、現用系、及び、該現用系において通信ができなくなった場合に切り替えられる予備系からなる冗長系のユーザネットワークインタフェース（ＵＮＩ）から構成される光クロスコネクトシステムであって、
それぞれに入力された波長多重信号光から特定の波長光を選択する、並列に配置された複数の第１の波長選択スイッチと、
各波長選択スイッチのそれぞれの前段に配置され、第１のポートを介して入力された光を非相反部を通過させて第２のポートから該第１の波長選択スイッチに出力し、該第２のポートを介して該第１の波長選択スイッチから入力された光を該非相反部を通過させて第３のポートに出力する第１の光サーキュレータと、
を有するＮＮＩと、
入力された波長多重信号光から特定の波長光を選択する第２波長選択スイッチと、
各第２波長選択スイッチのそれぞれの前段に配置され、第１のポートを介して入力された光を非相反部を通過させて第２のポートから該第２の波長選択スイッチに出力し、該第２のポートを介して該第２の波長選択スイッチから入力された光を該非相反部を通過させて第３のポートに出力する第２の光サーキュレータと、
を現用系及び予備系にそれぞれ有するＵＮＩと、
ＮＮＩの第１の波長選択スイッチとＵＮＩの現用系及び予備系の第２の波長選択スイッチに接続され、該波長選択スイッチから第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータと、
第３の光サーキュレータの後段に配置され、該第３の光サーキュレータから入力された波長光を切り替える複数の光スイッチと、
波長選択スイッチに対して、波長を選択するための波長編集信号を出力し、光スイッチに対して、波長光の方路を切り替えるための方路切替信号を出力する制御手段と、
を有し、
ＮＮＩの第１の光サーキュレータ及びＵＮＩの現用系または予備系の第２の光サーキュレータは、第１のポートに、波長多重光が入力されると、第２のポートからＮＮＩの第１の波長選択スイッチ、ＵＮＩの現用系または予備系の第２の波長選択スイッチに該波長多重光を出力し、
ＮＮＩの第１の波長選択スイッチ及び、ＵＮＩの現用系または予備系の第２の波長選択スイッチは、波長編集信号に基づいて波長を選択し、選択された波長光を、第３の光サーキュレータに出力し、
第３の光サーキュレータは、入力された波長光を光スイッチに出力し、
光スイッチは、方路切替信号に基づいて、入力された波長光の方路を切り替えて第３の光サーキュレータまたは他の光スイッチに出力し、
第３の光サーキュレータは、光スイッチから入力された波長光をＮＮＩの第１の波長選択スイッチ及び、ＵＮＩの現用系または予備系の第２の波長選択スイッチに出力し、
ＮＮＩの第１の波長選択スイッチ及びＵＮＩの現用系または予備系の第２の波長選択スイッチは、波長光を波長編集信号に基づいて選択し、当該波長選択スイッチの前段の第１、第２の光サーキュレータにそれぞれ出力し、
第１、第２の光サーキュレータは、第１、第２の波長選択スイッチから第２のポートを介してそれぞれ入力された波長光を第３のポートより出力する。
【００１６】
本発明（請求項３）は、波長多重伝送に使用される波長多重信号光から特定の波長の信号を選択して取り出す波長選択スイッチを用いた光ネットワーク側インタフェース（ＮＮＩ）とユーザネットワークインタフェース（ＵＮＩ）から構成される光クロスコネクトシステムであって、
それぞれに入力された波長多重信号光から特定の波長光を選択する、並列に配置された複数の第１の波長選択スイッチと、
第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、を有するＮＮＩと、
ＮＮＩの第１の波長選択スイッチと接続され、入力された波長多重信号光から特定の波長光を選択する第２の波長選択スイッチと、
第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、を有するＵＮＩと、
ＮＮＩの第１の波長選択スイッチと接続され、第１のポートを介して第１の波長選択スイッチから入力された波長光を非相反部を通過させて第２のポートを介して出力し、該第２のポートから入力された波長光を該非相反部を通過させて第３のポートに出力する第３の光サーキュレータと、
第３の光サーキュレータに接続され、入力された波長光を切り替えて、該第３の光サーキュレータまたは他の光スイッチに出力する光スイッチと、
波長選択スイッチに対して、波長を選択するための波長編集信号を出力し、光スイッチに対して、波長光の方路を切り替えるための方路切替信号を出力する制御手段と、
を有し、
第１の光サーキュレータ及び第２の光サーキュレータは、第１のポートに波長多重光が入力されると、第２のポートから第１の波長選択スイッチ及び第２の波長選択スイッチに該波長多重光を出力し、
ＵＮＩの第２の波長選択スイッチは、波長編集信号に基づいて波長を選択し、選択された波長を、ＮＮＩの１つの第１波長選択スイッチに出力し、
ＮＮＩの第１の波長選択スイッチは、当該第１の波長選択スイッチの前段の光サーキュレータ及びＵＮＩの第２の波長選択スイッチから入力された波長光を波長編集信号に基づいて波長光を選択し、選択された波長光を第３及び第１の光サーキュレータに出力し、
第３の光サーキュレータを介して波長光が入力された光スイッチは、方路切替信号に基づいて波長光を切り替えて出力し、
第３の光サーキュレータは、光スイッチから波長光が入力されると、ＮＮＩの第１の波長選択スイッチに該波長光を出力し、
ＮＮＩの第１の波長選択スイッチは、波長光を選択して第１の波長選択スイッチまたはＵＮＩの第２の波長選択スイッチに出力し、
第２の波長選択スイッチは、波長光を第２の光サーキュレータに出力し、
第２の光サーキュレータは、第２の波長選択スイッチから出力された波長が第２のポートより入力されると、該波長光を第３のポートより出力する。
【００１７】
本発明（請求項４）は、波長多重伝送に使用される波長多重信号光から特定の波長の信号を選択して取り出す波長選択スイッチを用いた光ネットワーク側インタフェース（ＮＮＩ）と、現用系、及び、該現用系において通信ができなくなった場合に切り替えられる予備系からなる冗長系のユーザネットワークインタフェース（ＵＮＩ）から構成される光クロスコネクトシステムであって、
それぞれに入力された波長多重信号光から特定の波長光を選択する、並列に配置された複数の第１の波長選択スイッチと、
第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、を有するＮＮＩと、
ＮＮＩの第１の波長選択スイッチと接続され、入力された波長多重信号光から特定の波長光を選択する第２の波長選択スイッチと、
第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、
を、現用系及び予備系にそれぞれ有するＵＮＩと、
ＮＮＩの第１の波長選択スイッチと接続され、第１のポートを介して第１の波長選択スイッチから入力された波長光を非相反部を通過させて第２のポートを介して出力し、該第２のポートから入力された波長光を該非相反部を通過させて第３のポートに出力する第３の光サーキュレータと、
第３の光サーキュレータに接続され、入力された波長光を切り替えて、該第３の光サーキュレータまたは他の光スイッチに出力する光スイッチと、
波長選択スイッチに対して、波長を選択するための波長編集信号を出力し、光スイッチに対して、波長光の方路を切り替えるための方路切替信号を出力する制御手段と、
を有し、
第１の光サーキュレータ及びＵＮＩの現用系または予備系の第２の光サーキュレータは、第１のポートに波長多重光が入力されると、第２のポートから第１の波長選択スイッチ及びＵＮＩの現用系または予備系の第２の波長選択スイッチに該波長多重光を出力し、
ＵＮＩの現用系または予備系の第２の波長選択スイッチは、波長編集信号に基づいて波長を選択し、選択された波長を、ＮＮＩの１つの第１波長選択スイッチに出力し、
ＮＮＩの第１の波長選択スイッチは、当該第１の波長選択スイッチの前段の光サーキュレータ及びＵＮＩの現用系または予備系の第２の波長選択スイッチから入力された波長光を波長編集信号に基づいて波長光を選択し、選択された波長光を第３及び第１の光サーキュレータに出力し、
第３の光サーキュレータを介して波長光が入力された光スイッチは、方路切替信号に基づいて波長光を切り替えて出力し、
第３の光サーキュレータは、光スイッチから波長光が入力されると、ＮＮＩの第１の波長選択スイッチに該波長光を出力し、
ＮＮＩの第１の波長選択スイッチは、波長光を選択して第１の波長選択スイッチまたはＵＮＩの現用系または予備系の第２の波長選択スイッチに出力し、
ＵＮＩの現用系または予備系の第２の波長選択スイッチは、波長光を第２の光サーキュレータに出力し、
ＵＮＩの現用系または予備系の第２の光サーキュレータは、第２の波長選択スイッチから出力された波長が第２のポートより入力されると、該波長光を第３のポートより出力する。
【００１８】
本発明（請求項５）は、波長多重伝送に使用される波長多重信号光から特定の波長の信号を選択して取り出す波長選択スイッチを用いた光ネットワーク側インタフェース(ＮＮＩ)とユーザネットワークインタフェース（ＵＮＩ）から構成される光クロスコネクトシステムにおける信号制御方法であって、
それぞれに入力された波長多重信号光から特定の波長光を選択する、並列に配置された複数の第１の波長選択スイッチと、
各波長選択スイッチのそれぞれの前段に配置され、第１のポートを介して入力された光を非相反部を通過させて第２のポートから該第１の波長選択スイッチに出力し、該第２のポートを介して該第１の波長選択スイッチから入力された光を該非相反部を通過させて第３のポートに出力する第１の光サーキュレータと、を有するＮＮＩと、
入力された波長多重信号光から特定の波長光を選択する第２波長選択スイッチと、
各第２波長選択スイッチのそれぞれの前段に配置され、第１のポートを介して入力された光を非相反部を通過させて第２のポートから該第２の波長選択スイッチに出力し、該第２のポートを介して該第２の波長選択スイッチから入力された光を該非相反部を通過させて第３のポートに出力する第２の光サーキュレータと、を有するＵＮＩと、
ＮＮＩとＵＮＩの第１の波長選択スイッチまたは、第２の波長選択スイッチに接続され、該波長選択スイッチから第１のポートを介して入力された光を非相反部を通過させて第２のポートから出力し、該第２のポートを介して入力された光を該非相反部を通過させて第３のポートから該第１または第２の波長選択スイッチに出力する複数の第３の光サーキュレータと、
第３の光サーキュレータの後段に配置され、該第３の光サーキュレータから入力された波長光を切り替える複数の光スイッチと、
波長選択スイッチに対して波長を選択するための波長編集信号を出力し、光スイッチに対し、波長光の方路を切り替えるための方路切替信号を出力する制御手段と、
を有する光クロスコネクトシステムにおいて、
第１、第２の光サーキュレータは、第１のポートに、波長多重光が入力されると、第２のポートから第１、第２の波長選択スイッチに該波長多重光を出力し、
第１、第２の波長選択スイッチは、波長編集信号に基づいて波長を選択し、選択された波長光を、第３の光サーキュレータに出力し、
第３の光サーキュレータは、入力された波長光を光スイッチに出力し、
光スイッチは、方路切替信号に基づいて、入力された波長光の方路を切り替えて第３の光サーキュレータまたは他の光スイッチに出力し、
第３の光サーキュレータは、光スイッチから入力された波長光を第１、第２の波長選択スイッチに出力し、
第１、第２の波長選択スイッチは、波長光を波長編集信号に基づいて選択し、当該波長選択スイッチの前段の第１、第２の光サーキュレータにそれぞれ出力し、
第１、第２の光サーキュレータは、第１、第２の波長選択スイッチから第２のポートを介してそれぞれ入力された波長光を第３のポートより出力する。
【００１９】
本発明（請求項６）は、波長多重伝送に使用される波長多重信号光から特定の波長の信号を選択して取り出す波長選択スイッチを用いた光ネットワーク側インタフェース(ＮＮＩ)とユーザネットワークインタフェース（ＵＮＩ）から構成される光クロスコネクトシステムにおける信号制御方法であって、
それぞれに入力された波長多重信号光から特定の波長光を選択する、並列に配置された複数の第１の波長選択スイッチと、
第１の波長選択スイッチのそれぞれの前段に配置され、第１のポートから入力された光を非相反部を通過させて第２のポートを介して該第１の波長選択スイッチに出力し、該第２のポートを介して該第１の波長選択スイッチから入力された光を該非相反部を通過させて第３のポートに出力する複数の第１の光サーキュレータと、を有するＮＮＩと、
ＮＮＩの１つの第１の波長選択スイッチと接続され、入力された波長多重信号光から特定の波長光を選択する第２の波長選択スイッチと、
第２の波長選択スイッチの前段に配置され、第１のポートから入力された波長光を非相反部を通過させて第２のポートを介して該第２の波長選択スイッチに出力し、該第２のポートを介して該第２の波長選択スイッチから入力された波長光を該非相反部を通過させて第３のポートに出力する第２の光サーキュレータと、を有するＵＮＩと、
ＮＮＩの第１の波長選択スイッチと接続され、第１のポートを介して第１の波長選択スイッチから入力された波長光を非相反部を通過させて第２のポートを介して出力し、該第２のポートから入力された波長光を該非相反部を通過させて第３のポートに出力する第３の光サーキュレータと、
第３の光サーキュレータに接続され、入力された波長光を切り替えて、該第３の光サーキュレータまたは他の光スイッチに出力する光スイッチと、
波長選択スイッチに対して、波長を選択するための波長編集信号を出力し、光スイッチに対して、波長光の方路を切り替えるための方路切替信号を出力する制御手段と、
を有する光クロスコネクトシステムにおいて、
第１の光サーキュレータ及び第２の光サーキュレータは、第１のポートに波長多重光が入力されると、第２のポートから第１の波長選択スイッチ及び第２の波長選択スイッチに該波長多重光を出力し、
ＵＮＩの第２の波長選択スイッチは、波長編集信号に基づいて波長を選択し、選択された波長を、ＮＮＩの１つの第１波長選択スイッチに出力し、
ＮＮＩの第１の波長選択スイッチは、当該第１の波長選択スイッチの前段の光サーキュレータ及びＵＮＩの第２の波長選択スイッチから入力された波長光を波長編集信号に基づいて選択し、選択された波長光を第３及び第１の光サーキュレータに出力し、
第３の光サーキュレータを介して波長光が入力された光スイッチは、方路切替信号に基づいて波長光を切り替えて出力し、
第３の光サーキュレータは、光スイッチから波長光が入力されると、ＮＮＩの第１の波長選択スイッチに該波長光を出力し、
ＮＮＩの第１の波長選択スイッチは、波長光を選択して第１の波長選択スイッチまたはＵＮＩの第２の波長選択スイッチに出力し、
第２の波長選択スイッチは、波長光を第２の光サーキュレータに出力し、
第２の光サーキュレータは、第２の波長選択スイッチから出力された波長が第２のポートより入力されると、該波長光を第３のポートより出力する。
【発明の効果】
【００２０】
上記のように本発明によれば、光スイッチを含まない波長選択スイッチを用い、当該波長選択スイッチの前段と後段に光サーキュレータを挿入した折り返し構成とすることにより、波長選択スイッチ、及び、光スイッチの数を削減することができるため、低コスト化を図ることができる。
【発明を実施するための最良の形態】
【００２１】
以下、図面と共に本発明の実施の形態を説明する。
【００２２】
まず、本発明の基本となる光クロスコネクトシステムについて説明する。
【００２３】
図２は、本発明の基本となる光クロスコネクトシステムの構成を示す。
【００２４】
同図に示す光クロスコネクトシステムは、複数の並列に設けられた波長選択スイッチ１１０、波長選択スイッチ１１０の前段に設けられる複数の光サーキュレータ１２１から構成される。波長選択スイッチ１１０は、光サーキュレータ１２２と接続され、光サーキュレータ１２２は、光スイッチ１３０に接続される。
【００２５】
制御部５０は、波長の帯域や波長マッピング情報や波長の方路を記憶手段（図示せず）内にテーブルの形式で管理しており、波長選択スイッチ１１０に対して入力された波長多重信号光の中から取り出すべき波長を割り当てる波長編集信号を出力し、光スイッチ１３０に対して入力された波長の方路を切り替えるための方路切替信号を出力する。
【００２６】
光サーキュレータ１２１，１２２は、光の進行方向によって結合するポートが異なる機能を持つ光デバイスであり、磁気光学効果の非相反性を利用したものである。光サーキュレータ１２１は、波長選択スイッチ１１０の前段に設けられる。光サーキュレータ１２２は、波長選択スイッチ１１０の後段に設けられる。後段では、光サーキュレータ１２２が波長選択スイッチ１１０の数と光スイッチ１３０の数の積の数だけ必要となる。図２の例では、波長選択スイッチの前段に３個の光サーキュレータ１２１、後段に６個の光サーキュレータ１２２が設けられている。
【００２７】
同図の光サーキュレータ１２１１において、ポートａから入射した光は非相反部を通過し、波長選択スイッチ１１０１の入力ポートに出力される。また、波長選択スイッチ１１０１の出力ポートから入射された光は、ポートｂに出力される。波長選択スイッチ１１０の前段に接続された他の光サーキュレータ１２１２〜１２１４についても同様である。
【００２８】
波長選択スイッチ１１０の後段に接続された各光サーキュレータ１２２は、波長選択スイッチ１１０から出力された波長光を光スイッチ１３０に入力し、当該光スイッチ１３０でスイッチングされ、戻された波長を波長選択スイッチ１１０に出力する。
【００２９】
波長選択スイッチ１１０は、図３に示すように、１入力Ｎ出力（１×Ｎ）のスイッチであり、波長選択機能として複数の帯域分割フィルタ１１０を有する。
【００３０】
波長選択スイッチ１１０は、光サーキュレータ１２１を介して波長多重光が入力されると、第１段目の帯域分割フィルタ１１０ａにおいて、入力ポートより入力された波長多重信号光を波長帯域毎に分割し、一方はそのまま出力ポートに出力し、もう一方の波長光は次段の帯域分割フィルタに出力する。また、最後段の帯域分割フィルタ１１０ｂは、分割した波長光を全て出力ポートに出力する。波長選択スイッチ１１０において、どの波長を選択し、どの出力ポートから出力するかは制御部５０からの波長編集信号に依る。
【００３１】
図２の例では、波長選択スイッチ１１０１において、図３に示す帯域分割フィルタ１１０によって分割された波長光は光サーキュレータ１２２１を介して光スイッチ１３０１，１３０２に出力される。
【００３２】
光スイッチ１３０１は、制御部５０から入力される方路切替信号に基づいて、光サーキュレータ１２２を介して入力された波長光を切り替える。例えば、光スイッチ１３０１が、制御部５０から方路を波長選択スイッチ１１０１に接続されている光サーキュレータ１２２１に切り替える方路切替信号が入力されている場合には、光サーキュレータ１２２１から入力された波長光を光サーキュレータ１２２１に出力する。
【００３３】
図２に示す光クロスコネクトシステムにおいて、例えば、制御部５０からの波長編集信号が「波長選択スイッチにおいて１段分帯域分割された帯域の波長光を選択する」こととし、また、方路切替信号が「波長光の入力元の光サーキュレータに出力する」という指定であった場合について説明する。
【００３４】
波長選択スイッチ１１０１では、制御部５０から入力された上記の波長編集信号に基づいて、当該波長選択スイッチ１１０１の左側の光サーキュレータ１２１１から波長多重信号光λ１〜λ１１が入力されると、帯域分割フィルタ１１０ａで帯域分割されたλ１〜λ３が光サーキュレータ１２２１に出力される。光サーキュレータ１２２１では、当該波長光λ１〜λ３を光スイッチ１３０１に入力する。光スイッチ１３０１では、制御部５０からの方路切替信号に基づいて、波長光の方路を切り替えて光サーキュレータ１２２１に出力する。当該光サーキュレータ１２２１に接続されている波長選択スイッチ１１０１は、制御部５０から入力された波長編集信号に基づいて、入力時とは反対に、帯域分割フィルタは帯域合成フィルタとして機能させることにより、出力ポートから帯域合成された波長光をサーキュレータ１２１１を介してポートｂに出力する。
【００３５】
光サーキュレータ１２１，１２２を波長選択スイッチ１１０の前後に設けない場合には、図９に示すように、波長選択スイッチが図２に示す２倍必要となるが、上記のように、波長多重信号光が入力される波長選択スイッチ１１０の前段及び後段に光サーキュレータ１２１，１２２を設けた折り返し構成とすることにより、波長選択スイッチの数を大幅に削減することができる。
【００３６】
また、上記の光クロスコネクトシステムの波長選択スイッチとして、図４に示すような波長選択スイッチ１１０を利用することも可能である。図４に示す波長選択スイッチ１１０は、１つの分波器１１５とｎ個（図４では３個）の合波器１１６から構成される。
【００３７】
分波器１１５は、１×N分波器であり、波長多重信号光λ１，λ２，…，λｎが入力されると、制御部５０からの波長編集信号に基づいて波長毎にマッピングして合波器１１６に出力する。
【００３８】
合波器１１６は、分波器１１５から入力された波長光の波長軸を空間的に再結合してグループ毎に出力する。
【００３９】
具体的に、波長選択スイッチ１１０に、波長λ１〜λ１１の波長多重信号光が入力され、そのうち、λ１を第１グループ、λ２，λ３を第２グループ、λ４，λ５を第３グループ、λ６，λ７を第４グループ、λ８，λ９を第５グループ、λ１０，λ１１を第６グループとして説明する。
【００４０】
分波器１１５の入力ポートより上記の波長多重信号光λ１〜λ１１が入力されると、分波器１１５は、第１のグループと第２のグループの波長光を合波器１１６１に、第３のグループと第４グループの波長光を合波器１１６２に、第５のグループと第６グループの波長光を合波器１１６３にそれぞれ出力することが可能である。
【００４１】
これにより、それぞれの合波器１１６は、波長編集信号に基づいて、分波器１１５から入力されたグループ毎の波長光を波長別に結合して選択された出力ポートから出力する。第１の合波器１１６１は第１・第２のグループの波長光を、第２の合波器１１６２は第３・第４のグループの波長光を、第３の合波器１１６３は第５・第６のグループの波長光をそれぞれ結合して、当該波長選択スイッチ１１０の左側の光サーキュレータ１２１に出力する。
【００４２】
波長多重信号光がポートａから光サーキュレータ１２１を介して入力された場合は、波長選択スイッチ１１０は、選択された波長光を当該波長選択スイッチ１１０の後段の光サーキュレータ１２２に出力し、当該後段の光サーキュレータ１２２から波長が入力された場合は、当該波長選択スイッチ１１０の前段の光サーキュレータ１２１に出力する。このとき、波長選択スイッチ１１０において、合波器１１６は分波器として機能し、分波器１１５は合波器として機能するものとする。
【００４３】
以下の実施の形態では、上記の構成を光ネットワーク側インタフェース（ＮＮＩ：Network Network Interface）とし、ＵＮＩインタフェースを収容する構成を説明する。
【００４４】
［第１の実施の形態］
本実施の形態では、上述の波長選択スイッチを折り返し構成としたNNIインタフェースが、ＮＮＩインタフェースの光スイッチにＵＮＩインタフェースを収容する例について説明する。
【００４５】
図５は、本発明の第１の実施の形態におけるユーザインタフェースを収容したシステムの構成を示す。
【００４６】
同図に示す光クロスコネクトシステムは、ＮＮＩインタフェース１００とＵＮＩインタフェース３００、及び複数の光サーキュレータ１２２、光スイッチ１３０から構成される。
【００４７】
同図に示すＮＮＩインタフェース１００は、前述の図２と同様の複数の波長選択スイッチ１１０、当該波長選択スイッチの前段に接続される複数の光サーキュレータ１２１を有する。
【００４８】
ＵＮＩインタフェース３００は、波長選択スイッチ３１０及び、波長選択スイッチ３１０から構成される。ＵＮＩインタフェース３００における波長選択スイッチ３１０と光サーキュレータの機能は、ＮＮＩインタフェース１００と同様の機能を有する。
【００４９】
図５に示す制御部５０は、図２の制御部５０と同様の機能を有するが、ＵＮＩ３００の波長選択スイッチ３１０にも波長編集信号を出力する。
【００５０】
また、図５に示すシステムは、ＮＮＩインタフェース１００、ＵＮＩインタフェース３００の波長選択スイッチ１１０、３１０の後段にそれぞれ２つの光サーキュレータ１２２が接続されている。例えば、ＮＮＩインタフェース１００の波長選択スイッチ１１０１には、光サーキュレータ１２２１，１２２２が接続されており、ＵＮＩインタフェース３００の波長選択スイッチ３１０には、光サーキュレータ１２２７、１２２８が接続されている。
これらの光サーキュレータ１２２１〜１２２８は、上記の波長選択スイッチ１１０，３１０の前段の光サーキュレータ１２１，３２１と同様の動作を行う。
【００５１】
さらに、光サーキュレータ１２２１〜１２２８には、光スイッチ１３０１，１３０２が接続されている。光スイッチ１３０１，１３０２は、光サーキュレータ１２２１〜１２２８から波長光が入力されると、制御部５０からの方路切替信号に基づいて波長光の方路を切り替えて、当該光サーキュレータ１２２１〜１２２８または、他の光スイッチ１３０に出力する。
【００５２】
一連の動作は以下の通りである。
【００５３】
ＵＮＩインタフェース３００の入力ポートｆから光サーキュレータ３２１に波長多重光が入力されると、非相反部を通過させて波長選択スイッチ３１０に出力する。
【００５４】
波長選択スイッチ３１０は、ＮＮＩインタフェース１００の制御部５０からの波長編集信号に基づいて、波長を選択し、後段の光サーキュレータ１２２８または、１２２７を介して、光スイッチ１３０に出力する。同図の例では、光サーキュレータ１２２７を通過した波長光は光スイッチ１３０１に出力され、光サーキュレータ１２２８を通過した波長光は光スイッチ１３０２に出力される。
【００５５】
光スイッチ１３０１、１３０２は、制御部５０からの方路切替信号に基づいて波長の方路を切り替えて、他の光スイッチ、または、当該光スイッチの前段の光サーキュレータ１２１１〜１２１８に波長光を出力する。
【００５６】
光サーキュレータ１２２７及び、光サーキュレータ１２２８は、光スイッチ１３０から入力された波長を非相反部を通過させて波長選択スイッチ３１０に入力する。波長選択スイッチ３１０が、例えば、図３に示す構成である場合は、入力された波長を、制御部５０から入力された波長編集信号に基づいて、入力時とは反対に、帯域分割フィルタを帯域合成フィルタとして機能させることにより、出力ポートから帯域合成された波長光を光サーキュレータ３２１を介してポートｇに出力する。また、波長選択スイッチ３１０が図４に示す構成である場合は、合波器１１６を分波器とし、分波器１１５を合波器として機能させることにより、入力された波長を制御部５０から入力された波長編集信号に基づいて、合波された波長をポートｇに出力する。
【００５７】
上記のような構成とすることにより、ＵＮＩインタフェースを収容するシステムにおいても、光スイッチ及び波長選択スイッチの数を削減することが可能となる。
【００５８】
［第２の実施の形態］
本実施の形態では、波長選択スイッチを折り返し構成とし、現用系及び予備系からなる冗長系のＵＮＩインタフェースを収容する例について説明する。
【００５９】
図６は、本発明の第２の実施の形態における冗長系のユーザインタフェースを収容したシステム構成を示す。
【００６０】
同図に示すシステムのＮＮＩインタフェース１００は、複数の並列に設けられた波長選択スイッチ１１０、波長選択スイッチ１１０の前段に設けられる複数の光サーキュレータ１２１から構成される。
【００６１】
ＵＮＩインタフェース４００は、現用系と予備系からなる冗長系であり、現用系及び予備系は、それぞれ、波長選択スイッチ３１０、波長選択スイッチ３１０の前段に設けられる光サーキュレータ３２１から構成される。
【００６２】
波長選択スイッチ１１０，３１０の後段には、光サーキュレータ１２１１〜１２２１０が接続される。
【００６３】
また、光サーキュレータ１２２１〜１２２１０には光スイッチ１３０が接続される。
【００６４】
同図では、ＮＮＩ１００の波長選択スイッチ１１０１の後段には、光サーキュレータ１２２１と１２２２が接続され、光サーキュレータ１２２１には光スイッチ１３０１が接続される。また、光サーキュレータ１２２２には光スイッチ１３０２が接続されている。また、ＵＮＩインタフェース４００の現用系の波長選択スイッチ３１０１には、光サーキュレータ１２２７と１２２８が接続されており、光サーキュレータ１２２７は光スイッチ１３０１に接続され、光サーキュレータ１２２８は、光スイッチ１３０２に接続されている。ＵＮＩインタフェース４００の予備系の波長選択スイッチ３１０２には、光サーキュレータ１２２９と１２２１０が接続されており、光サーキュレータ１２２９は光スイッチ１３０１に接続され、光サーキュレータ１２２１０は、光スイッチ１３０２に接続されている。
【００６５】
ＵＮＩインタフェース４００の現用系の入力ポートｈから波長多重光が現用系の光サーキュレータ３２１１に入力されると、非相反部を通過させて波長選択スイッチ３１０１に出力される。波長選択スイッチ３１０１は、波長編集信号に基づいて波長選択し、その波長を光サーキュレータ１２２７または、光サーキュレータ１２２８に出力する。光サーキュレータ１２２７は、入力された波長光を光スイッチ１３０１に出力し、戻された波長を波長選択スイッチ３１０１に出力する。また、光サーキュレータ１２２８は、入力された波長光を光スイッチ１３０２に出力し、戻された波長を波長選択スイッチ３１０１に出力する。波長選択スイッチ３１０１は、第１の実施の形態と同様に、光サーキュレータから入力された波長光を、入力時とは反対の動作により光サーキュレータ３２１１に出力する。これにより光サーキュレータ３２１１は、出力ポートｉに出力する。
【００６６】
ＵＮＩインタフェース４００の予備系も現用系と同様に、入力ポートｊから波長多重光が予備系の光サーキュレータ３２１２に入力されると、非相反部を通過させて波長選択スイッチ３１０２に出力される。波長選択スイッチ３１０２は、波長編集信号に基づいて波長選択し、その波長を光サーキュレータ１２２９または、光サーキュレータ１２２１０に出力する。光サーキュレータ１２２９は、入力された波長光を光スイッチ１３０１に出力し、戻された波長を波長選択スイッチ３１０２に出力する。また、光サーキュレータ１２２１０は、入力された波長光を光スイッチ１３０２に出力し、戻された波長を波長選択スイッチ３１０２に出力する。波長選択スイッチ３１０２は、第１の実施の形態と同様に、光サーキュレータから入力された波長光を、入力時とは反対の動作により光サーキュレータ３２１２に出力する。これにより光サーキュレータ３２１２は、出力ポートｋに出力する。
【００６７】
［第３の実施の形態］
本実施の形態では、ＵＮＩの波長選択スイッチとＮＮＩインタフェースの波長選択スイッチを接続した構成の例を説明する。
【００６８】
図７は、本発明の第３の実施の形態におけるユーザインタフェースを収容したシステムの構成を示す。
【００６９】
同図に示すＮＮＩインタフェース５００は、第１の実施の形態の構成と同様であるが、波長選択スイッチ１１０においてＵＮＩインタフェース６００の波長選択スイッチ３１０との間で波長光の入出力を行う点において、図５の構成と異なり、ＮＮＩインタフェース５００の波長選択スイッチ１１０のみに光サーキュレータ１２２を接続したものである。
【００７０】
同図の例において、ＮＮＩインタフェース５００の波長選択スイッチ１１０に、それぞれ２つの光サーキュレータ１２２が接続されている。
【００７１】
同図に示すＵＮＩインタフェース６００は、波長選択スイッチ３１０と、波長選択スイッチ３１０の前段に設けられる光サーキュレータ３２１から構成され、光サーキュレータ３２１から波長多重光が入力されると、波長選択スイッチ３１０は、ＮＮＩインタフェース５００の何れか１つの波長選択スイッチ１１０に対して選択された波長光を出力する。
【００７２】
ＮＮＩインタフェース５００の波長選択スイッチ１１０１〜１１０３は、前段の光サーキュレータ１２１１〜１２１３及びＵＮＩインタフェース６００の波長選択スイッチ３１０から波長光が入力されると、波長編集信号に基づいて波長を選択し、後段に接続されている光サーキュレータ１２２１〜１２２６に出力する。光サーキュレータ１２２１〜１２２６は、それぞれ波長光を光スイッチ１３０１，１３０２に出力し、当該光スイッチ１３０１，１３０２から戻された波長光を波長選択スイッチ１１０に出力する。波長選択スイッチ１１０は、戻された波長光を入力時とは判断の動作により光サーキュレータ１２１または、ＵＮＩ６００の波長選択スイッチ３１０に出力する。
【００７３】
ＵＮＩインタフェース６００の波長選択スイッチ３１０は、ＮＮＩインタフェース５００の波長選択スイッチ１１０から波長光が入力されると、上記の光サーキュレータ３２１からの波長光の入力時とは反対の動作により、波長光を光サーキュレータ３２１に出力する。光サーキュレータ３２１は当該波長光をポートｇより出力する。
【００７４】
このように、本実施の形態では、ＵＮＩインタフェース６００の波長選択スイッチ３１０とＮＮＩインタフェース５００の波長選択スイッチ１１０の１つを接続することにより、光サーキュレータの数を削減することができる。例えば、図５の例では、８個の光サーキュレータを必要としたが、本実施の形態によれば６個の光サーキュレータがあればよい。
【００７５】
［第４の実施の形態］
本実施の形態では、ＵＮＩの波長選択スイッチとＮＮＩインタフェースの１つの波長選択スイッチを接続した構成とした冗長系の構成例を説明する。
【００７６】
図８は、本発明の第８の実施の形態における冗長系のユーザインタフェースを収容したシステム構成図である。
【００７７】
同図に示すＮＮＩインタフェース５００は、図７の構成と同様である。
【００７８】
同図に示すＵＮＩインタフェース７００は、図７のＵＮＩインタフェース６００の構成を現用系及び予備系とした冗長系の構成であり、現用系・予備系共に、波長選択スイッチ３１０、その前段に設けられた光サーキュレータ３２１を有する。また、ＮＮＩインタフェース５００の波長選択スイッチ１１０に接続される光サーキュレータ１２２、光スイッチ１３０も図７と同様である。
【００７９】
現用系の波長選択スイッチ３１０１、予備系の波長選択スイッチ３１０２は、前段の光サーキュレータ３２１から入力された波長多重光を、ＮＮＩインタフェース５００の制御部５０からの波長編集信号に基づいて選択し、ＮＮＩインタフェース５００の１つの波長選択スイッチ１１０３に入力する。これにより、ＮＮＩインタフェース５００の波長選択スイッチ１１０３は、当該波長選択スイッチ１１０３に接続されている光サーキュレータ１２２５，１２２６のいずれかに出力する。光サーキュレータ１２２５，１２２６は、入力された波長光を光スイッチ１３０に出力する。光スイッチ１３０は、方路切替信号に基づいて波長光を切り替え、光サーキュレータ１２２５，１２２６または、他の光スイッチに出力する。光サーキュレータ１２２５，１２２６は、当該光スイッチ１３０から入力された波長光を波長選択スイッチ１１０３に戻す。これにより、ＮＮＩインタフェース５００の波長選択スイッチ１１０３は、制御部５０からの波長編集信号に基づいて選択された波長光を当該波長選択スイッチ１１０３に接続された光サーキュレータ１２１３または、ＵＮＩインタフェース７００の現用系または、予備系の波長選択スイッチ３１０に出力する。
【００８０】
上記のように、ＵＮＩインタフェース７００の波長選択スイッチ３１０から光サーキュレータを介さずに、ＮＮＩインタフェース５００の１つの波長選択スイッチ１１０に対して波長光を出力することにより、第２の実施の形態と比較して、光サーキュレータの数を削減することができる。例えば、図６の構成では、１０個の光サーキュレータが必要であるが、図８の構成では、６個の光サーキュレータを設ければよい。
【００８１】
なお、本発明は、上記の実施の形態に限定されることなく、特許請求の範囲内において種々変更・応用が可能である。
【産業上の利用可能性】
【００８２】
本発明は、波長多重伝送システムにおけるクライアント収容及び現用系・予備系からなる冗長化システムに適用可能である。
【図面の簡単な説明】
【００８３】
【図１】本発明の原理構成図である。
【図２】本発明の基本的な光クロスコネクトシステムの構成図である。
【図３】本発明の基本的な光クロスコネクトシステムに適用される波長選択スイッチの構成例（その１）である。
【図４】本発明の基本的な光クロスコネクトシステムに適用される波長選択スイッチの構成例（その２）である。
【図５】本発明の第１の実施の形態におけるユーザインタフェースを収容したシステムの構成図である。
【図６】本発明の第２の実施の形態における冗長系のユーザインタフェースを収容したシステムの構成図である。
【図７】本発明の第３の実施の形態におけるユーザインタフェースを収容したシステム構成図である。
【図８】本発明の第４の実施の形態における冗長系のユーザインタフェースを収容したシステムの構成図である。
【図９】従来の光クロスコネクトシステムの構成図である。
【図１０】従来の波長選択スイッチの構成図である。
【符号の説明】
【００８４】
５０  制御部
１００  ＮＮＩインタフェース（NNI/IF）
１１０  波長選択スイッチ
１１１  帯域分割フィルタ
１１５  分波器
１１６  合波器
１２１  光サーキュレータ
１２２  光サーキュレータ
１３０  光スイッチ
３００  ＵＮＩインタフェース
３１０  波長選択スイッチ
４００  ＵＮＩインタフェース
５００  ＮＮＩインタフェース
６００  ＵＮＩインタフェース
７００  ＵＮＩインタフェース
【図１】
2008259131.tif 000003
【図２】
2008259131.tif 000004
【図３】
2008259131.tif 000005
【図４】
2008259131.tif 000006
【図５】
2008259131.tif 000007
【図６】
2008259131.tif 000008
【図７】
2008259131.tif 000009
【図８】
2008259131.tif 000010
【図９】
2008259131.tif 000011
【図１０】
2008259131.tif 000012